(57)【要約】【課題】本発明は、表示部材とフタの間に水が溜まることがなく衛生な状態を保つことができ、さらには、誤って表示部材に触れたとしても表示部材がずれることがなく正しくカートリッジの交換時期を認識することができる浄水器を提供することにある。【解決手段】有底筒状の本体容器３と、本体容器３の開口を覆うフタ５と、ろ材を収納するカートリッジ２とを備えたポット型浄水器であって、円筒状で天面を有する表示部材７がフタ５に設けられた貫通口に取り付けられ、表示部材７の天面にはカートリッジ２の使用開始時期または交換時期を表す文字が印刷または刻印され、フタ５にはカートリッジ２の使用開始時期または交換時期を指し示す印が設けられ、表示部材７の下部には把手が設けられ、表示部材７がフタ５に対して表示部材７の中心軸まわりに回動可能であるポット型浄水器。【選択図】図１
2015107469.tif 000002
【特許請求の範囲】
【請求項１】
有底筒状の本体容器と、該本体容器の開口を覆うフタと、ろ材を収納するカートリッジとを備えたポット型浄水器であって、前記フタには貫通口が設けられ、天面を有する表示部材が前記貫通口に取り付けられ、前記表示部材の天面には前記カートリッジの使用開始時期または交換時期を表す文字が印刷または刻印され、前記フタには前記カートリッジの使用開始時期または交換時期を表す文字を指し示す印が設けられ、前記表示部材が前記フタに対して該表示部材の中心軸まわりに回動可能であることを特徴とするポット型浄水器。
【請求項２】
有底筒状の本体容器と、該本体容器の開口を覆うフタと、ろ材を収納するカートリッジとを備えたポット型浄水器であって、前記フタには貫通口が設けられ、天面を有する表示部材が前記貫通口に取り付けられ、前記フタには前記カートリッジの使用開始時期または交換時期を表す文字が印刷または刻印され、前記表示部材の天面には前記カートリッジの使用開始時期または交換時期を表す文字を指し示す印が設けられ、前記表示部材が前記フタに対して該表示部材の中心軸まわりに回動可能であることを特徴とするポット型浄水器。
【請求項３】
前記フタに設けられた貫通口に、前記表示部材の天面が前記フタの表面と略同一面になるように、前記表示部材が取り付けられていることを特徴とする請求項１または２に記載のポット型浄水器。
【請求項４】
前記フタに設けられた貫通口の内周部には複数の位置決め凹部が設けられ、前記表示部材には位置決め凸部が設けられ、前記位置決め凸部が該位置決め凸部の高さ方向に変位することを特徴とする請求項１〜３のいずかに記載のポット型浄水器。
【請求項５】
前記フタに設けられた貫通口の内周部には複数の位置決め凸部が設けられ、前記表示部材には位置決め凹部が設けられ、前記位置決め凹部が該位置決め凹部の高さ方向に変位することを特徴とする請求項１〜３のいずかに記載のポット型浄水器。
【請求項６】
前記表示部材に設けられた突起部と、前記フタの貫通口の内周部に設けられた案内溝が嵌合することにより、前記表示部材が前記フタに回動可能に掛留されることを特徴とする請求項１〜５のいずれかに記載のポット型浄水器。
【請求項７】
前記表示部材の天面よりも下方に把手が設けられていることを特徴とする請求項１〜６のいずれかに記載のポット型浄水器。
【請求項８】
円筒状で天面を有する前記表示部材の内部空間に前記カートリッジの原水入口を形成する上部筒状体が収納されることを特徴とする請求項１〜７のいずれかに記載のポット型浄水器。
【発明の詳細な説明】
【技術分野】
【０００１】
本発明は、主に家庭で使用し、水道水をろ過するポット型浄水器に関する。
【背景技術】
【０００２】
近年、水道水を飲用する際、安全でおいしい水を得るために、水道水中のカルキ臭、カビ臭、トリハロメタンなどを浄水器でろ過する傾向が高まっている。浄水器としては、活性炭や中空糸膜などのろ材を充填したカートリッジを装着して使用するものが一般的であり、ろ材の能力が低下したときには、使用者がカートリッジを交換する。
【０００３】
従来から、カートリッジのろ過能力低下時期をあらかじめ浄水器に表示して、使用者がカートリッジの交換を忘れず行える機能を有した浄水器が知られている（特許文献１）。しかしながら、交換時期を示す表示部材が、本体容器に被せられたフタに設けられた軸に回転可能に取り付けられており、フタを水洗いした際に表示部材とフタの間に水が溜まり不衛生となる可能性があった。また、表示部材がフタ上に突起状に突き出しているため、誤って強く表示部材に触れることにより表示位置がずれてしまい、交換時期を見誤ってしまうという可能性もあった。
【先行技術文献】
【特許文献】
【０００４】
【特許文献１】特許第５０６６１５５号公報
【発明の概要】
【発明が解決しようとする課題】
【０００５】
本発明は、上述のような問題点を鑑み、表示部材とフタの間に水が溜まることがなく衛生な状態を保つことができ、さらには、表示部材がずれることがなく正しくカートリッジの交換時期を認識することができるポット型浄水器を提供することにある。
【課題を解決するための手段】
【０００６】
前記課題を達成するため、本発明のポット型浄水器は下記の構成から成る。
【０００７】
すなわち、本発明によれば、有底筒状の本体容器と、該本体容器の開口を覆うフタと、ろ材を収納するカートリッジとを備えたポット型浄水器であって、前記フタには貫通口が設けられ、天面を有する表示部材が前記貫通口に取り付けられ、前記表示部材の天面には前記カートリッジの使用開始時期または交換時期を表す文字が印刷または刻印され、前記フタには前記カートリッジの使用開始時期または交換時期を表す文字を指し示す印が設けられ、前記表示部材が前記フタに対して該表示部材の中心軸まわりに回動可能であるポット型浄水器が提供される。
【０００８】
また、本発明の別の形態によれば、有底筒状の本体容器と、該本体容器の開口を覆うフタと、ろ材を収納するカートリッジとを備えたポット型浄水器であって、前記フタには貫通口が設けられ、天面を有する表示部材が前記フタに設けられた貫通口に取り付けられ、前記フタには前記カートリッジの使用開始時期または交換時期を表す文字が印刷または刻印され、前記表示部材の天面には前記カートリッジの使用開始時期または交換時期を表す文字を指し示す印が設けられ、前記表示部材が前記フタに対して該表示部材の中心軸まわりに回動可能であるポット型浄水器が提供される。
【０００９】
また、本発明の好ましい形態によれば、前記フタに設けられた貫通口に、前記表示部材の天面が前記フタの表面と略同一面になるように、前記表示部材が取り付けられているポット型浄水器が提供される。
【００１０】
また、本発明の好ましい形態によれば、前記フタに設けられた貫通口の内周部には複数の位置決め凹部が設けられ、前記表示部材には位置決め凸部が設けられ、前記位置決め凸部が該位置決め凸部の高さ方向に変位するポット型浄水器が提供される。
【００１１】
また、本発明の好ましい別の形態によれば、前記フタに設けられた貫通口の内周部には複数の位置決め凸部が設けられ、前記表示部材には位置決め凹部が設けられ、前記位置決め凹部が該位置決め凹部の高さ方向に変位するポット型浄水器が提供される。
【００１２】
また、本発明の好ましい形態によれば、前記表示部材に設けられた突起部と、前記フタの貫通口の内周部に設けられた案内溝が嵌合することにより、前記表示部材が前記フタに回動可能に掛留されるポット型浄水器が提供される。
【００１３】
また、本発明の好ましい形態によれば、前記表示部材の天面よりも下方に把手が設けられているポット型浄水器が提供される。
【００１４】
また、本発明の好ましい形態によれば、円筒状で天面を有する前記表示部材の内部空間に前記カートリッジの原水入口を形成する上部筒状体が収納されるポット型浄水器が提供される。
【発明の効果】
【００１５】
本発明によれば、表示部材とフタの間に水が溜まることがなく衛生な状態を保つことができ、さらには、誤って表示部材に触れたとしても表示部材がずれることがなく正しくカートリッジの交換時期を認識することができるポット型浄水器を得ることができる。
【図面の簡単な説明】
【００１６】
【図１】本発明の一実施形態に係るポット型浄水器の概略図である。
【図２】本発明の一実施形態に係る交換表示ダイヤルの上面図である。
【図３】本発明の一実施形態に係る交換表示ダイヤルの正面図である。
【図４】本発明の一実施形態に係る交換表示ダイヤル図２のＡ−Ａ’断面図である。
【図５】本発明の一実施形態に係る交換表示ダイヤルの下面図である。
【図６】本発明の一実施形態に係るフタの上面図である。
【図７】本発明の一実施形態に係るフタの正面図である。
【図８】本発明の一実施形態に係るフタ図６のＢ−Ｂ'断面図である。
【図９】本発明の一実施形態に係るフタの下面図である。
【図１０】図９におけるＣ部分拡大図
【図１１】本発明の一実施形態に係る交換表示ダイヤルが嵌め込まれたフタ図６のＢ−Ｂ'断面図である。
【図１２】本発明の一実施形態に係る交換表示ダイヤルが嵌め込まれたフタ図６のＤ−Ｄ'断面図である。
【発明を実施するための形態】
【００１７】
以下、本発明の最良の実施形態の例をポット型浄水器に適用した場合を例にとって、図面を参照しながら説明する。なお本発明は以下に示す実施の形態に限定されるものではなく、上記本発明の目的を達成できるものであればよい。
【００１８】
図１は本発明の一実施形態であるポット型浄水器の概略図を示したものである。ポット型浄水器は本体部１とカートリッジ２から構成され、本体部１は本体容器３、ロート４、フタ５、注ぎ口カバー６、交換表示ダイヤル（表示部材）７から構成される。本体容器３の上方にロート４が取り付けられており、下方は浄水貯水部８となっている。フタ５は本体容器３とロート４の上方に配置される。注ぎ口カバー６はフタ５に設けられた注ぎ口カバー接続部２１に接続され、交換表示ダイヤル（表示部材）７はフタ５の中央付近に設けられた貫通口１７に嵌め込まれている。カートリッジ２はロート４の底面に開口しているカートリッジ嵌合部９に挿入した状態で使用する。
【００１９】
交換表示ダイヤル（表示部材）７の詳細構造について図２〜５を用いて説明する。図２は本発明の一実施形態に係る交換表示ダイヤルの上面図、図３は本発明の一実施形態に係る交換表示ダイヤルの正面図、図４は発明の一実施形態に係る交換表示ダイヤル図２のＡ−Ａ’断面図、図５は本発明の一実施形態に係る交換表示ダイヤルの下面図を示したものである。
【００２０】
交換表示ダイヤル７は天面１０を有する円筒形であり、フタ５に設けられた貫通口１７に嵌め込まれ、交換表示ダイヤルの中心軸（交換表示ダイヤルの回転する中心となる仮想軸のことをいい、中心軸が現実に存在するわけではない）まわりに回動可能となるように案内面１１が設けられている。また、交換表示ダイヤルの側面にＬ字型の切り欠き１２を設けることにより、撓みを生じるように形成されたバネ部１３が１８０°対称位置に２箇所設けられている。さらにバネ部１３には交換表示ダイヤル７の位置決めを行うための位置決め凸部１４が設けられており、高さ方向へ変位するようになっている。さらに、交換表示ダイヤル７の下部には把手１５が設けられ、凹凸面を形成することにより、交換表示ダイヤル７を回しやすいようになっている。交換表示ダイヤル７の天面１０の上側表面には、カートリッジ２の使用開始時期または交換時期を表す文字１６が印刷または刻印されている。天面１０の直径は、文字１６が見やすいようにフタ５の短い側の幅の３０％〜７０％にするのが良い。好ましくは５５％〜６５％が良く、フタ５の中央付近に設けられた貫通口１７が大きくなり過ぎてフタ５の強度が不足する問題がなく文字１６も見やすい。交換表示ダイヤル７は、２箇所あるバネ部１３を指で内側に押し込みながらフタ５の上面側に向かって押し出すことによりフタ５から取り外すことができ、水洗いしやすいようになっている。材料は成形精度が良いＡＢＳ樹脂を使用しているが、その他、ポリプロピレンやハイインパクトポリスチレンなどであっても良い。
【００２１】
フタ５の詳細構造について図６〜１０を用いて説明する。図６は本発明の一実施形態に係るフタの上面図、図７は発明の一実施形態に係るフタの正面図、図８は発明の一実施形態に係るフタ図６のＢ−Ｂ'断面図、図９は本発明の一実施形態に係るフタの下面図、図１０は図９におけるＣ部分拡大図を示したものである。
【００２２】
フタ５に設けられた貫通口１７には、交換表示ダイヤル７が嵌め込まれ、貫通口１７の中心軸まわりに回動可能となるように案内面１８が設けられている。案内面１８は、交換表示ダイヤル７に設けられた案内面１１と嵌合するように傾斜面と円筒面で構成される。案内面１８の下部には、位置決め凹部１９が貫通口１７の全周に渡り連続して設けられている。また、交換表示ダイヤル７に設けられた突起部２０が、フタの貫通口１７の案内面１８に沿って設けられた案内溝２２に嵌め込まれることにより、交換表示ダイヤル７はフタ５に回動可能に掛留される。フタ５には、ダイヤル天面１０に印刷または刻印されたカートリッジ２の使用開始時期または交換時期を表す文字１６を指し示す印２３が設けられている。材料は、注ぎ口カバー６や交換表示ダイヤル７を取り付ける部材であり脱着を多く繰り返すため、成形精度が高く、割れたり欠けたりしない樹脂で成形されることが好ましいため、ＡＢＳ樹脂やハイインパクトポリスチレンが望ましが、その他にもポリプロピレンやＡＳ樹脂、ポリスチレン、ポリカーボネート、アクリル樹脂、ポリエチレンなどが使用可能である。
【００２３】
図１１は発明の一実施形態に係る交換表示ダイヤル７が嵌め込まれたフタ図６のＢ−Ｂ'断面図、図１２は発明の一実施形態に係る交換表示ダイヤル７が嵌め込まれたフタ図６のＤ−Ｄ'断面図を示したものである。
【００２４】
交換表示ダイヤル７に設けられた位置決め凸部１４と、フタ５に設けられた位置決め凹部１９とが噛み合うことで、使用開始時期または交換時期を指し示すことができる。使用者は交換した新しいカートリッジ２を使用開始する前に、使用開始時期または交換時期のいずれかを選択して、交換表示ダイヤル７上の文字１６をフタ５上の印２３に合わせる。但し、いずれの場合もカートリッジの仕様として定められた寿命期間を把握しておく必要があり、使用開始時期を表示する場合は表示した時期から寿命期間が経過する頃にカートリッジ２の交換を行い、また、交換時期を表示する場合は、使用開始時に寿命期間を加算した時期を表示し、表示した時期になったらカートリッジ２を交換する。
【００２５】
交換表示ダイヤル７とフタ５が重なり合う部分に水平な面がないため、水が溜まることがなく衛生な状態を保つことができる。また、交換表示ダイヤル７の天面１０がフタ５の表面と略同一面になるように、つまりフタ５の表面または表面から同平面上に延長される仮想面よりも上側に交換表示ダイヤル７の天面１０が突き出ないように交換表示ダイヤル７がフタ５に取り付けられているため、使用中にフタ５の表側から交換表示ダイヤル７に誤って触れても交換表示ダイヤル７を回転させるだけの力が発生しないので、交換表示ダイヤル７の表示位置がずれることがなく、正しくカートリッジの交換時期を認識することができる。また、交換表示ダイヤル７の天面１０のフタ５表面からのが突き出し量が２ｍｍ以内であれば、交換表示ダイヤル７を回転させるだけの力が発生しないので同様に問題はない。また、交換表示ダイヤル７の天面１０及びフタ５の表面は、平面あるいはなだらかな曲面であることが好ましく、少なくとも、交換表示ダイヤル７とフタ５が隣接する部分が略同一面になるように構成されていれば、交換表示ダイヤル７の天面とフタ５の表面すべてが略同一面でなくても良い。さらに交換表示ダイヤル７を挟む形でフタ５の表面に２つの大きな凹部２４を設けることができ、フタ５の脱着が容易に行える。フタ５の表面に凹部２４を設けたとしても、水切りが容易であるため水が溜まる心配はない。さらに、前記カートリッジ２の原水入口を形成する上部筒状体の高さが、ろ過中のエア抜きを行うためのエア抜き口を設けるために高く構成される場合には、交換表示ダイヤル７の内部空間２５を、前記カートリッジ２の原水入口を形成する上部筒状体を収納するスペースとして利用することもできる。
【００２６】
その他に、実施形態は次のように変形させることもできる。
【００２７】
フタ５側にカートリッジ２の使用開始時期または交換時期を表す文字（省略）が印刷または刻印され、交換表示ダイヤル７の天面１０側にカートリッジ２の使用開始時期または交換時期を表す文字を指し示す印（省略）を設けるように文字と印が逆であっても良い。
【００２８】
交換表示ダイヤル７に設けられた位置決め凸部１４と、フタ５に設けられた位置決め凹部１９の形状は、半円状とすることが望ましいが、フタ５に設けられた位置決め凹部１９の形状を、図１０に示す位置決め凹部１９のように左右非対称に微調整することにより、左右回転方向による回転抵抗の大きさやクリック感を同じにすることができる。
【００２９】
但し、交換表示ダイヤル７に設けられた位置決め凸部１４と、フタ５に設けられた位置決め凹部１９の形状は、半円状に限らず三角形や棒状であるなど、様々な形状を用いることが可能であり、クリック感や位置決め精度を調整することができる。
【００３０】
また、フタ５に設けられた貫通口１７の内周部に複数の位置決め凸部（省略）を設け、交換表示ダイヤル７に位置決め凹部（省略）を設けることで、凹部と凸部の位置を逆にしても良い。
【産業上の利用可能性】
【００３１】
本発明は、ポット型浄水器に限らず、蛇口直結型や据え置き型の浄水器などにも応用することができるが、その応用範囲が、これらに限られるものではない。
【符号の説明】
【００３２】
１      本体部
２      カートリッジ
３      本体容器
４      ロート
５      フタ
６      注ぎ口カバー
７      交換表示ダイヤル（表示部材）
８      浄水貯水部
９      カートリッジ嵌合部
１０    天面
１１    案内面
１２    切り欠き
１３    バネ部
１４    位置決め凸部
１５    把手
１６    文字  
１７    貫通口
１８    案内面
１９    位置決め凹部
２０    突起部
２１    注ぎ口カバー接続部
２２    案内溝
２３    印
２４    凹部
２５    内部空間
【図１】
2015107469.tif 000003
【図２】
2015107469.tif 000004
【図３】
2015107469.tif 000005
【図４】
2015107469.tif 000006
【図５】
2015107469.tif 000007
【図６】
2015107469.tif 000008
【図７】
2015107469.tif 000009
【図８】
2015107469.tif 000010
【図９】
2015107469.tif 000011
【図１０】
2015107469.tif 000012
【図１１】
2015107469.tif 000013
【図１２】
2015107469.tif 000014